(57)【要約】【課題】ＰＯＦと受発光素子モジュールとの間の光接続損失を少なくして光通信の接続信頼性を向上させる。【解決手段】モジュール用フェルール２９の先端部がフェルール収容部３４ａ，３４ｂに接続されたモジュールハウジング２６を、シールドケース３５に、モジュール用フェルール２９の溝部２９ｅがシールドケース３５の切欠部３５ａ，３５ｂと嵌合するようにして収容する。収容されたモジュールハウジング２６は、シールドケース３５のバネ片１９によりモジュール用フェルール２９側に押圧される。これにより、モジュール用フェルール２９の先端面とモジュール収容部２６ａ，２６ｂの前面との間に隙間が形成されることなく両者が密着した状態となる。したがって、受信モジュール２４及び送信モジュール２５と中継ＰＯＦ２７との光接続信頼性を向上させることができる。【選択図】　図２
2004020894.tif 000002
【特許請求の範囲】
【請求項１】
光信号と電気信号との間の変換動作を行う光電変換素子が内蔵されたモジュールハウジングと、
このモジュールハウジングを内部に収容する金属製のシールドケースと、
前記光電変換素子と光学的に結合される光ファイバの一方の端部に装着され、前記モジュールハウジングと結合されるモジュール用フェルールとを備えて構成され、
前記モジュールハウジングは、前記モジュール用フェルールの先端面が前記光電変換素子と当接するように嵌合されるフェルール嵌合部を備え、
前記モジュール用フェルールは、前記光ファイバを、前記光ファイバの端面が前記モジュール用フェルールの先端面と同位置となるように収容するファイバ収容孔を備えると共に、外壁部の所定位置に外周に沿って形成された鍔部を備え、
前記シールドケースは、前記モジュール用フェルールと嵌合される切欠部を備えると共に、前記切欠部の縁部が前記モジュール用フェルールの鍔部と嵌合し、前記縁部が前記鍔部と嵌合した状態で前記モジュールハウジングを前記モジュール用フェルール側に押圧するバネ部を備えてなる
ことを特徴とする光トランシーバ。
【請求項２】
光信号と電気信号との間の変換動作を行う光電変換素子が内蔵されたモジュールハウジングと、
このモジュールハウジングを内部に収容する金属製のシールドケースと、
前記光電変換素子と外部の光ファイバとを光学的に中継する中継ファイバと、
前記外部の光ファイバの端部に装着された第１のコネクタと嵌合される第２のコネクタと、
前記中継ファイバの一方の端部に装着され、前記モジュールハウジングと結合されるモジュール用フェルールと、
前記中継ファイバの他方の端部に装着され、前記第２のコネクタと結合されるコネクタ用フェルールとを備えて構成され、
前記モジュールハウジングは、前記モジュール用フェルールの先端面が前記光電変換素子と当接するように嵌合されるフェルール嵌合部を備え、
前記モジュール用フェルールは、前記中継ファイバを、前記中継ファイバの端面が前記モジュール用フェルールの先端面と同位置となるように収容するファイバ収容孔を備えると共に、外壁部の所定位置に外周に沿って形成された鍔部を備え、
前記シールドケースは、前記モジュール用フェルールと嵌合される切欠部を備えると共に、前記切欠部の縁部が前記モジュール用フェルールの鍔部と嵌合し、前記縁部が前記鍔部と嵌合した状態で前記モジュールハウジングを前記モジュール用フェルール側に押圧するバネ部を備えてなる
ことを特徴とする光トランシーバ。
【請求項３】
前記モジュール用フェルール及びコネクタ用フェルールは、同一形状のフェルールであることを特徴とする請求項２記載の光トランシーバ。
【請求項４】
前記モジュール用フェルール及びコネクタ用フェルールは、金属又は樹脂からなるものであることを特徴とする請求項２又は３記載の光トランシーバ。
【発明の詳細な説明】
【０００１】
【発明の属する技術分野】
この発明は、自動車用高速光ＬＡＮ（Ｌｏｃａｌ　Ａｒｅａ　Ｎｅｔｗｏｒｋ）等に用いられるＰＯＦ（Ｐｌａｓｔｉｃ　Ｏｐｔｉｃａｌ　Ｆｉｂｅｒ）等の光ファイバと受発光素子とを結合させる光トランシーバに関する。
【０００２】
【従来の技術】
図４は、光ＬＡＮシステム等の光通信システムの基本構成の一部を示す概略図である。図４に示すように、光通信システムでは、一方のデバイス１００及び他方のデバイス（図示せず）がＰＯＦ１４０を介して相互に接続されている。一方のデバイス１００及び他方のデバイスとＰＯＦ１４０とは、ユニット基板１５０上に実装された光トランシーバ１２０によってインターフェイスされる。また、ＰＯＦ１４０は、図示しない第１のコネクタ（例えば、プラグコネクタ）及び第２のコネクタ（例えば、レセプタクルコネクタ）からなる中継コネクタによって適宜中継されて、任意の距離まで光信号を伝送する。
【０００３】
ここで、光トランシーバ１２０は、第１のコネクタ（プラグコネクタ（雄コネクタ））１２２が嵌合される第２のコネクタ（レセプタクルコネクタ（雌コネクタ））１２１からなるコネクタ部１２３と、受信モジュール（受光素子）１２４及び送信モジュール（発光素子）１２５からなる受発光素子モジュール部１２６と、これらコネクタ部１２３と受発光素子モジュール部１２６とを中継する中継ＰＯＦ１２７とから構成されている。コネクタ部１２３の第２のコネクタ１２１は、受発光素子モジュール部１２６とＰＯＦ１４０とを中継ＰＯＦ１２７を介して結合するためのコネクタである。
【０００４】
このように、第２のコネクタ１２１と受発光素子モジュール部１２６とを中継ＰＯＦ１２７により分離した構造とすることにより、受信モジュール１２４及び送信モジュール１２５をユニット基板１５０上に実装された通信用ＩＣ１３０の近傍に配設し、両モジュール１２４，１２５と通信用ＩＣ１３０との間の配線長を短くすることができるため、高周波通信により発生するノイズの面で有利なデバイス１００を構成することができるようになる。なお、中継ＰＯＦ１２７のコネクタ部１２３側の端末部には、コネクタ用フェルール１２８が、受発光素子モジュール部１２６側の端末部には、モジュール用フェルール１２９が、それぞれ取り付けられ、ＰＯＦ１４０の第１のコネクタ１２２側の端末部には、フェルール１４１が取り付けられている。
【０００５】
図５は、この光トランシーバ１２０における受発光素子モジュール部１２６とモジュール用フェルール１２９との接続構造を示す断面図である。図５に示すように、受発光素子モジュール部１２６を構成するモジュールハウジング１３１は、その内部に受信モジュール１２４及び送信モジュール１２５を内蔵し、前面に、モジュール用フェルール１２９の先端部が差し込まれる空間部１３２が形成され、更にこの空間部１３２に連通する穴部１３３が形成されたフェルール嵌合部１３４を、金属シールドケース１３５内から外部に突出させた状態で構成される。
【０００６】
モジュール用フェルール１２９は、その内部に中継ＰＯＦ１２７が挿入されるファイバ挿入孔１３６が形成され、モジュール用フェルール１２９の先端部にも中継ＰＯＦ１２７が挿入されてその先端面と中継ＰＯＦ１２７の端面とが同位置になるように構成され、更にその先端部近傍の外周壁の所定位置には、フェルール嵌合部１３４の穴部１３３に嵌合する突起１３７が形成されている。
【０００７】
このように構成された光トランシーバ１２０の構造では、モジュール用フェルール１２９の先端部とフェルール嵌合部１３４の空間部１３２とが互いに嵌合するように、モジュール用フェルール１２９の先端部の外径とフェルール嵌合部１３４の空間部１３２の内径とが同じ寸法になるように形成されている。
【０００８】
【発明が解決しようとする課題】
しかしながら、このような構造による受発光素子モジュール部１２６とモジュール用フェルール１２９との接続では、モジュール用フェルール１２９の突起１３７とモジュール嵌合部１３４の穴部１３３との単純な嵌合により接続精度が出されるため、これら突起１３７と穴部１３３との嵌合誤差や寸法誤差等の原因によりモジュール用フェルール１２９の先端面（換言すれば、中継ＰＯＦ１２７の端面）と受発光素子モジュール部１２６の前面との間に隙間Ａが生じてしまうことがある。この場合、中継ＰＯＦ１２７と受発光素子モジュール部１２６との間の光接続損失が増大し、結果的に光通信の信頼性が低下してしまうという問題がある。
【０００９】
この発明は、このような問題点を解決するためになされたもので、ＰＯＦと受発光素子モジュールとの間の光接続損失を少なくし、光通信の接続信頼性を向上させることができる光トランシーバを提供することを目的とする。
【００１０】
【課題を解決するための手段】
この発明に係る第１の光トランシーバは、光信号と電気信号との間の変換動作を行う光電変換素子が内蔵されたモジュールハウジングと、このモジュールハウジングを内部に収容する金属製のシールドケースと、前記光電変換素子と光学的に結合される光ファイバの一方の端部に装着され、前記モジュールハウジングと結合されるモジュール用フェルールとを備えて構成され、前記モジュールハウジングは、前記モジュール用フェルールの先端面が前記光電変換素子と当接するように嵌合されるフェルール嵌合部を備え、前記モジュール用フェルールは、前記光ファイバを、前記光ファイバの端面が前記モジュール用フェルールの先端面と同位置となるように収容するファイバ収容孔を備えると共に、外壁部の所定位置に外周に沿って形成された鍔部を備え、前記シールドケースは、前記モジュール用フェルールと嵌合される切欠部を備えると共に、前記切欠部の縁部が前記モジュール用フェルールの鍔部と嵌合し、前記縁部が前記鍔部と嵌合した状態で前記モジュールハウジングを前記モジュール用フェルール側に押圧するバネ部を備えてなることを特徴とする。
【００１１】
この発明の第１の光トランシーバによれば、シールドケースの切欠部とモジュール用フェルールとを切欠部の縁部がモジュール用フェルールの鍔部と嵌合するように嵌合させ、モジュール用フェルールをシールドケースに固定すると共に、シールドケースのバネ部でモジュール用フェルールが嵌合されたモジュールハウジングをモジュール用フェルール側に押圧する。このため、モジュールハウジングに内蔵された光電変換素子とモジュール用フェルールに収容された光ファイバとの間に隙間が発生し難くなり、これにより、光通信の接続信頼性を向上させることが可能となる。
【００１２】
この発明に係る第２の光トランシーバは、光信号と電気信号との間の変換動作を行う光電変換素子が内蔵されたモジュールハウジングと、このモジュールハウジングを内部に収容する金属製のシールドケースと、前記光電変換素子と外部の光ファイバとを光学的に中継する中継ファイバと、前記外部の光ファイバの端部に装着された第１のコネクタと嵌合される第２のコネクタと、前記中継ファイバの一方の端部に装着され、前記モジュールハウジングと結合されるモジュール用フェルールと、前記中継ファイバの他方の端部に装着され、前記第２のコネクタと結合されるコネクタ用フェルールとを備えて構成され、前記モジュールハウジングは、前記モジュール用フェルールの先端面が前記光電変換素子と当接するように嵌合されるフェルール嵌合部を備え、前記モジュール用フェルールは、前記中継ファイバを、前記中継ファイバの端面が前記モジュール用フェルールの先端面と同位置となるように収容するファイバ収容孔を備えると共に、外壁部の所定位置に外周に沿って形成された鍔部を備え、前記シールドケースは、前記モジュール用フェルールと嵌合される切欠部を備えると共に、前記切欠部の縁部が前記モジュール用フェルールの鍔部と嵌合し、前記縁部が前記鍔部と嵌合した状態で前記モジュールハウジングを前記モジュール用フェルール側に押圧するバネ部を備えてなることを特徴とする。
【００１３】
この発明の第２の光トランシーバによれば、シールドケースの切欠部とモジュール用フェルールとを切欠部の縁部がモジュール用フェルールの鍔部と嵌合するように嵌合させ、モジュール用フェルールをシールドケースに固定すると共に、シールドケースのバネ部でモジュール用フェルールが嵌合されたモジュールハウジングをモジュール用フェルール側に押圧する。このため、モジュールハウジングに内蔵された光電変換素子とモジュール用フェルールに収容された中継ファイバとの間に隙間が発生し難くなり、これにより、光通信の接続信頼性を向上させることが可能となる。
【００１４】
なお、モジュール用フェルール及びコネクタ用フェルールは、同一形状のフェルールであることが好ましく、この場合、両フェルールは、金属又は樹脂からなるものであることが好ましい。同一形状であれば、部品の共通化を促進し、コストダウンに繋げることが可能となる。
【００１５】
【発明の実施の形態】
以下、添付の図面を参照して、この発明の実施の形態を説明する。
図１は、この発明の一実施形態に係る光トランシーバを構成する各部品を示す分解斜視図、図２は、同光トランシーバの一部を示す側面断面図である。
図１に示すように、この光トランシーバ１は、光電変換素子としての受信モジュール（受光素子）２４及び送信モジュール（発光素子）２５をそれぞれ内蔵したモジュールハウジング２６と、このモジュールハウジング２６を覆うように内部に収容するシールドケース３５と、モジュールハウジング２６に内蔵された受信モジュール２４及び送信モジュール２５と外部のプラスティック光ファイバ（以下、「ＰＯＦ」と呼ぶ。）４０とを光学的に中継するための中継プラスティック光ファイバ（以下、「中継ＰＯＦ」と呼ぶ。）２７と、フェルール４１が端部に装着された外部のＰＯＦ４０を収容する第１のコネクタ（例えば、プラグコネクタ）２２と嵌合される第２のコネクタ（例えば、レセプタクルコネクタ）２１と、中継ＰＯＦ２７の一方の端部に装着され、モジュールハウジング２６と結合されるモジュール用フェルール２９と、中継ＰＯＦ２７の他方の端部に装着され、レセプタクルコネクタ２１と結合されるコネクタ用フェルール２８とを備えて構成されている。
【００１６】
モジュールハウジング２６は、例えば樹脂成型部材からなり、受信モジュール２４及び送信モジュール２５をそれぞれ内部に収容するモジュール収容部２６ａ，２６ｂと、これらモジュール収容部２６ａ，２６ｂのモジュール用フェルール２９との接続側に突出するように一体的に形成され、モジュール用フェルール２９の先端部がそれぞれ挿入されて収容されるスリーブ状のフェルール収容部３４ａ，３４ｂとを備えて構成されている。
【００１７】
シールドケース３５は、例えば金属薄板等の材料をプレス加工等により箱型に成形したものであり、モジュールハウジング２６のフェルール収容部３４ａ，３４ｂのモジュール用フェルール２９との接続方向先端側に対応する位置の壁部３５ｃに、Ｕ字型の切欠部３５ａ，３５ｂがそれぞれ形成されている。これら切欠部３５ａ，３５ｂには、この例では後述するモジュール用フェルール２９の溝部が嵌合する構造となっている。また、これら切欠部３５ａ，３５ｂ形成側の壁部３５ｃと反対側に位置する壁部３５ｄには、図３に示すように、シールドケース３５の内部空間に連続した３辺が入り込むように切り欠いて折り曲げられた矩形状のバネ片１９が複数形成されている。
【００１８】
中継ＰＯＦ２７は、図２に示すように、中心のファイバ素線２７ａを被覆部２７ｂで覆った構造からなるものであり、モジュールハウジング２６との接続方向先端側ではこの被覆部２７ｂが除去されて、ファイバ素線２７ａが直接モジュール用フェルール２９のファイバ挿入孔２９ｄの内面に、例えば接着剤等で固着されている。なお、レセプタクルコネクタ２１との接続方向先端側でも同様に被覆部２７ｂが除去されて、ファイバ素線２７ａが直接コネクタ用フェルール２８のファイバ挿入孔（図示せず）の内面に接着剤等で固着されている。
【００１９】
レセプタクルコネクタ２１は、プラグコネクタ２２との嵌合側に、プラグコネクタ２２のコネクタハウジング１１が嵌合する、コネクタハウジング１１の外形に合わせた形状の凹状のコネクタ嵌合部１２が形成されると共に、中継ＰＯＦ２７との接続側に、コネクタ用フェルール２８が装着された中継ＰＯＦ２７を収容する中継ＰＯＦ収容部１３が形成されたコネクタハウジング１４と、中継ＰＯＦ収容部１３に収容されたコネクタ用フェルール２８が外装された中継ＰＯＦ２７の端部を、コネクタハウジング１４内に位置決め固定するための中継ＰＯＦ２７の取付部材となるコイル状のスプリング４２及びストッパ部材４３とから構成されている。
【００２０】
なお、スプリング４２のコネクタハウジング１４側の端部は、コネクタ用フェルール２８の外壁の所定位置に外周に沿って形成された鍔部２８ａに当接し、他方の端部はストッパ部材４３の基端部４３ａに当接する。ストッパ部材４３には、中継ＰＯＦ収容部１３の外壁に形成された係合突起１５と係合し、ストッパ部材４３をコネクタハウジング１４に取付固定するための係合爪１６が形成されている。スプリング４２及びストッパ部材４３により、中継ＰＯＦ収容部１３内に収容されたコネクタ用フェルール２８は、常にプラグコネクタ２２方向へ押し付けられた状態で収容される。また、コネクタハウジング１４には、電気接続用の複数の接続端子１７が収容されている。なお、この例ではレセプタクルコネクタ２１は、光接続と電気接続が可能ないわゆるハイブリッドコネクタであるが、通常の光接続用コネクタを用いても良い。
【００２１】
一方、プラグコネクタ２２は、フェルール４１が外装されたＰＯＦ４０の端部を内部に収容すると共に、図示しない電線が圧着された複数の圧着端子１８を収容するコネクタハウジング１１と、このコネクタハウジング１１に取り付けられ、フェルール４１及び圧着端子１８を位置決め固定するための固定部材５０とから構成されている。フェルール４１及び圧着端子１８をそれぞれコネクタハウジング１１に形成されたフェルール挿入孔１１ａ及び端子挿入孔１１ｂに挿入した後、固定部材５０を固定部材取付部１１ｃに取り付けることにより、フェルール４１及び圧着端子１８はプラグコネクタ２２に取付固定される。
【００２２】
モジュール用フェルール２９は、金属又は樹脂等の材料からなり、この例では円筒状に形成された本体部の外壁の所定位置に外周に沿って形成された複数の鍔部２９ａ，２９ｂを備え、図２に示すように、内部に中継ＰＯＦ２７を収容するファイバ挿入孔２９ｃ，２９ｄが形成された構造からなる。なお、両鍔部２９ａ，２９ｂに挟まれた外壁部分には、シールドケース３５の切欠部３５ａ，３５ｂに嵌合する溝部２９ｅが形成されている。ファイバ挿入孔２９ｃは、中継ＰＯＦ２７の被覆部２７ｂごと収容できるように、中継ＰＯＦ２７の外径に合わせた内径を有し、ファイバ挿入孔２９ｄは、中継ＰＯＦ２７のファイバ素線２７ａを収容するために、ファイバ挿入孔２９ｃの内径よりも小さく、ファイバ素線２７ａの外径に合わせた内径を有するように形成されている。なお、コネクタ用フェルール２８は、この例では上述したモジュール用フェルール２９と同一形状、同一構成で形成されているため、ここでは説明を省略する。また、ここでは複数の鍔部２９ａ，２９ｂ及び溝部２９ｅが形成されたモジュール用フェルール２９を用いて説明したが、例えば鍔部２９ｂが１つのみ形成されたものでも良い。その場合、モジュール用フェルール２９が切欠部３５ａ，３５ｂに嵌合し、鍔部２９ｂがこれら切欠部３５ａ，３５ｂのシールドケース３５の内部空間側の縁部に嵌合するように取り付けられることとする。
【００２３】
中継ＰＯＦ２７のモジュールハウジング２６側の端部には、図２に示すように、モジュール用フェルール２９が装着されており、このモジュール用フェルール２９は、その先端部がモジュールハウジング２６のフェルール収容部３４ａ，３４ｂ内に、その先端面が受信モジュール２４及び送信モジュール２５をそれぞれ収容したモジュール収容部２６ａ，２６ｂの前面に当接するように収容されている。なお、モジュール用フェルール２９の鍔部２９ｂの挿入方向端面２９ｆから先端面までの長さは、フェルール収容部３４ａ，３４ｂの開口側端面３４ｆからモジュール収容部２６ａ，２６ｂとの接続面３４ｇまでの長さと同じになるように形成されている。中継ＰＯＦ２７は、モジュール用フェルール２９の先端面と中継ＰＯＦ２７のファイバ素線２７ａの端面とが同位置となるように、ファイバ挿入孔２９ｃを通ってファイバ挿入孔２９ｄに収容されているため、中継ＰＯＦ２７の端面とモジュール収容部２６ａ，２６ｂの前面との間には、隙間が生じ難い構造となっている。
【００２４】
このように構成されたモジュールハウジング２６、モジュール用フェルール２９及びシールドケース３５を用いれば、以下に説明するように、中継ＰＯＦ２７の端面とモジュール収容部２６ａ，２６ｂの前面との間に隙間を発生させずに受信モジュール２４及び送信モジュール２５と中継ＰＯＦ２７とを接続させることができる。即ち、モジュールハウジング２６のフェルール収容部３４ａ，３４ｂ内に、中継ＰＯＦ２７が収容されたモジュール用フェルール２９の先端部を挿入してモジュール用フェルール２９をモジュールハウジング２６に接続する。そして、モジュール用フェルール２９の溝部２９ｅがシールドケース３５の切欠部３５ａ，３５ｂに嵌合するようにして、モジュール用フェルール２９が接続されたモジュールハウジング２６をシールドケース３５内に挿入する。
【００２５】
シールドケース３５内に挿入されたモジュールハウジング２６は、シールドケース３５のバネ片１９により、切欠部３５ａ，３５ｂに嵌合されたモジュール用フェルール２９の方向に押し付けられる。こうしてモジュールハウジング２６が押し付けられることにより、切欠部３５ａ，３５ｂに溝部２９ｅが嵌合されたモジュール用フェルール２９の鍔部２９ｂの鍔部２９ａ方向の端面がシールドケース３５の切欠部３５ａ，３５ｂの縁部の壁面に当接すると共に、モジュールハウジング２６のフェルール収容部３４ａ，３４ｂ側の端面に当接する。また、モジュール用フェルール２９の先端面とモジュール収容部２６ａ，２６ｂの前面とが密着する。これにより、モジュール用フェルール２９とモジュールハウジング２６とは、シールドケース３５内で中継ＰＯＦ２７の端面とモジュール収容部２６ａ，２６ｂの前面との間に隙間が生じ難い状態で位置決め固定される。
【００２６】
従って、受信モジュール２４及び送信モジュール２５と中継ＰＯＦ２７との光接続信頼性を、従来の隙間Ａ（図５参照）が発生してしまう場合に比べて、格段に向上させることが可能となる。また、シールドケース３５のバネ片１９により、モジュールハウジング２６とモジュール用フェルール２９は、常にシールドケース３５の壁部３５ｃ方向に付勢されているため、振動等の影響により両モジュール２４，２５と中継ＰＯＦ２７との光接続信頼性が低下する可能性は低くなる。また、この例では、モジュール用フェルール２９とコネクタ用フェルール２８とが同一形状等の共通部品であるため、部品の共通化を促進し、コストダウンを図ることができる。
【００２７】
【発明の効果】
以上述べたように、この発明の第１の光トランシーバによれば、シールドケースの切欠部とモジュール用フェルールとを切欠部の縁部がモジュール用フェルールの鍔部と嵌合するように嵌合させ、モジュール用フェルールをシールドケースに固定すると共に、シールドケースのバネ部でモジュール用フェルールが嵌合されたモジュールハウジングをモジュール用フェルール側に押圧する。このため、モジュールハウジングに内蔵された光電変換素子とモジュール用フェルールに収容された光ファイバとの間に隙間が発生し難くなり、これにより、光通信の接続信頼性を向上させることが可能となるという効果を奏する。
【００２８】
また、この発明の第２の光トランシーバによれば、シールドケースの切欠部とモジュール用フェルールとを切欠部の縁部がモジュール用フェルールの鍔部と嵌合するように嵌合させ、モジュール用フェルールをシールドケースに固定すると共に、シールドケースのバネ部でモジュール用フェルールが嵌合されたモジュールハウジングをモジュール用フェルール側に押圧する。このため、モジュールハウジングに内蔵された光電変換素子とモジュール用フェルールに収容された中継ファイバとの間に隙間が発生し難くなり、これにより、光通信の接続信頼性を向上させることが可能となる。
【図面の簡単な説明】
【図１】この発明の一実施形態に係る光トランシーバを構成する各部品を示す分解斜視図である。
【図２】同光トランシーバの一部を示す側面断面図である。
【図３】同光トランシーバの一部を示す斜視図である。
【図４】光ＬＡＮシステム等の光通信システムの基本構成の一部を示す概略図である。
【図５】同光通信システムの光トランシーバにおける受発光素子モジュール部とモジュール用フェルールとの接続構造を示す断面図である。
【符号の説明】１…光トランシーバ、１１，１４…コネクタハウジング、１２…コネクタ嵌合部、１３…中継ＰＯＦ収容部、１５…係合突起、１６…係合爪、１７…接続端子、１８…圧着端子、１９…バネ片、２１…レセプタクルコネクタ、２２…プラグコネクタ、２４…受信モジュール、２５…送信モジュール、２６…モジュールハウジング、２６ａ，２６ｂ…モジュール収容部、２７…中継ＰＯＦ、２７ａ…ファイバ素線、２７ｂ…被覆部、２８…コネクタ用フェルール、２８ａ，２８ｂ，２９ａ，２９ｂ…鍔部、２９…モジュール用フェルール、２９ｃ，２９ｄ…ファイバ挿入孔、２９ｅ…溝部、３４ａ，３４ｂ…フェルール収容部、３５…シールドケース、３５ａ，３５ｂ…切欠部、４０…ＰＯＦ、４１…フェルール、４２…スプリング、４３…ストッパ部材、５０…固定部材。
【図１】
2004020894.tif 000003
【図２】
2004020894.tif 000004
【図３】
2004020894.tif 000005
【図４】
2004020894.tif 000006
【図５】
2004020894.tif 000007